(57)【要約】【課題】本発明は、ゴルフ練習場で、ゴルフ場を想定し、実際に傾斜をつけて打撃練習ができ、また通常の水平な打撃練習もフロアー場で打っている様な違和感のない低いゴルフ練習台を供給する。【解決手段】本発明は、本体１の中に、エアーバック３、が収納してあり圧縮空気を送り込む事により膨張し、エアーバックカバー４が押し上げられ、傾斜台２の一方が上がる、この時、傾斜台の反対側にあるロックピン９がロックするようになる、また同時にストッパー支柱５がスプリングにより持ち上げられてストッパー７を越えたところで止まり傾斜台を安定して止めることができる。この傾斜台はエアーバックを使用しているため極僅かなスペースで収納できるため、高さの低い練習台ができ、取り付け工事も簡単にできる。【選択図】  図３
2004148073.tif 000002
【特許請求の範囲】
【請求項１】
傾斜台と、本体とを４個以上の圧力媒体として流体を用いたバッグ式の昇降機構により上昇し、連動しているストッパー支柱で止め、安定させたゴルフ練習台。
【発明の詳細な説明】
【０００１】
【産業上の利用分野】この発明は、ゴルフ練習場以外にも、移動設置ができ、ショートコースまた、展示台としても利用可能なゴルフ用打撃練習台に関する。
【０００２】
【従来の技術】従来のゴルフ練習場では、平坦な場所での練習だけである。
【０００３】
実際のゴルフ場には様々な地形があり従来の練習場では、傾斜のついた練習が出来ない
【０００４】
考案されている傾斜台は主に傾斜をつけた練習のみが多い。
【０００５】
また、傾斜台は、厚さがあり、取り付け工事が大変であった。
【発明の課題】そこでこの発明は、簡単な構造で練習台に傾斜をつけ打撃練習ができ、また、通常の水平な打撃練習も違和感なくでき、取り付け工事が簡単なゴルフ練習台を供給する。
【０００６】
【課題の解決手段】この発明は、傾斜台、本体、４個以上の圧縮媒体を用いたバッグ（昇降機構）により上昇し、連動しているストッパー支柱で止めたものである。
【０００７】
【作用】バック内に圧縮媒体を送り込む事によりバックが膨れ上がりエアーバッグカバーを押し上げ傾斜台の底部をスライドしながら傾斜台を押し上げる、その途中でストッパー支柱が傾斜台の底部についてあるガイドによりスライドしながらストッパー支柱がもちあげられて、ストッパーを越えたところで止まりストッパーとなる。
【０００８】
【実施例】以下、この発明の実施例を添付図面を参照に説明する。（エアー使用）
【０００９】図１、２に示すように、この発明のゴルフ練習台は、本体１、傾斜台２，エアーバック３、（昇降機構）、エアーバックカバー４、ストッパー支柱５、の連動から成る。
【００１０】まず、図２の、エアーホース２０、より圧縮空気を送り込み、電磁弁１７でとめられている。
【００１１】傾斜台を上げるのに、図１、スイッチボタン１９、（上昇用）を押すことにより、電磁弁１７、が開弁し、三方弁１８とエアーホースを通り、図３のエアーバック３、に入る。
【００１２】エアーバック３は、圧縮空気により膨張し、図５のエアーバックカバー４、の位地から、図３のエアーバックカバー４の位地まで傾斜台の底部をスライドしながら傾斜台を押し上げる。
【００１３】この時、図５、エアーバックカバー４の一方を蝶番１１で止めてある。エアーバックカバー４が押し上げらる時、蝶番とピンが一体となっているドグ１４（回転するカム）が回転し、上昇ストップスイッチ１５が作動して、図２の電磁弁１７の電源を切り圧縮空気の流入をストップさせる。
【００１４】また、傾斜台が押し上げられると同時に、図４の、ストッパー支柱５がスプリング１２、で持ち上げれ傾斜台底部をスライドしながら一定の高さまで上昇する。
そこからは、図３の、ガイド６にストッパー支柱５の先端のピンがひっかかりスライドしてストッパー支柱が上昇する。
【００１５】その時、ガイド６をストッパー支柱５がスライド中に傾斜台の底部に付けててある図３、ストッパー７（上にのみ９０度動く）を押し上げて通りすぎる、そのときに（００１３）で説明した動作が同時におこなわれ、圧縮空気の流入が止まりストッパー支柱も止まる。
【００１６】また、圧縮空気の注入が止まるとエアーバック３に今度は、傾斜台等の重みがかかる。今度は逆にエアーバック３から、図２の、三方弁１８へ逆流して図７の、片路開閉弁付きカプラ２４、から外へ排出される。
【００１７】図７の、三方弁は、電磁弁１７が開弁し、圧縮空気が注入されると、移動弁２２、がＤ方向からきた圧縮空気におされ、ＡからＢへ押し上げられ片路開閉弁付きカプラ２４の入口を塞いでしまうためエアーバック方向へ流れる。また、電磁弁１７が閉弁すると、逆にエアーバック３に傾斜台等の重みがかかり逆流して、三方弁へ空気が戻ってくる。この時、図７の、Ｅ方向から戻ってきた空気は、スプリング２３、に押し戻されている移動弁２２が、片路開閉弁付きカプラ２４の入口を開けるため、空気はここから外へ排出される。
【００１８】また、逆流する空気は傾斜台等の重みがかかっっている時だけで、ストッパー支柱で傾斜台を支えると圧力がかからないため、片路開閉弁付きカプラ２４、の作用で空気を止めるので、エアーバック３は膨らんだ状態でおける。そのため、傾斜台が一度に落ちる事はなく危険防止にもなっている。
【００１９】また、この傾斜台はどこにも固定されていないため、図３で示すように、一方が上昇すると、反対側のロックピン９、が図４に示すロックピン用穴１０、にしっかりとロックするため傾斜台が動かなくなる。
【００２０】傾斜台を下ろす時は、図１の下降用スイッチ２９、を押すと上昇行程と同じで、傾斜台が押し上げられるが、今度は少し高めに上げる事によりストッパー支柱５が、図３のガイド６をスライドしてはずれ、前に倒れる。この時に、図５の、下降用ストップスイッチ１６が作動して図２の、電磁弁１７、の電源を切り閉弁させる。
【００２１】傾斜台２は、自重でエアーバックカバー４を押すことによりエアーバック３を押しつぶすため空気が逆流して、図７の三方弁１８から片路開閉弁付きカプラ２４を通り外に排出する。これにより傾斜台２は、ゆっくりと下がりはじめる
【００２２】また、傾斜台２は、下りる途中ストッパー支柱５も底部でスライドさせながら押し下げ、エアーバック３、エアーバックカバー４、と共に本体と傾斜台との間に収納する事ができる。
【００２３】図６の通常の水平練習台の状態になったときは、図２のロックピン用穴１０全部にロックピン９が入り、また、エアーバックカバー４は、傾斜台底部を支えているので傾斜台は動くことなくアイアン及びドライバー等の打撃練習にも安定している
【００２４】また、ストッパー支柱を、シリンダーに変え、流媒体の流用により、傾斜台の角度を変えることもできる。
【効果】この発明は、本体と傾斜台を、圧縮空気を利用しエアーバックを膨張させ昇降機構としたもので、エアーバックは、空気を抜いた後は、狭いところに収まり、練習台の全高が低いためフロアーに設置しても、違和感がなく、通常の水平練習、また傾斜をつけ実際のゴルフ場の様々な場面の練習ができる。
【図面の簡単な説明】
【図１】傾斜台が前上がり状態における縦断側面図である。
【図２】本体内部の平面図である。
【図３】エアーバックの膨張及びストッパー支柱の実施例を示す図である。
【図４】ストッパー支柱が、スプリングにより持ち上げられている実施例を示す図である
【図５】エアーバックの収納、エアーバックカバーと、スイッチの配置を示す図である。
【図６】斜視図
【図７】三方弁と片路開閉弁付きカプラの断面図である
【符号の説明】
１  本体
２  傾斜台
３  エアーバック
４  エアーバックカバー
５  ストッパー支柱
６  ガイド
７  ストッパー
８  水平固定アングル
９  ロックピン
１０  ロックピン用穴
１１  蝶番
１２  スプリング
１３  連結シャフト
１４  ドグ
１５  上昇ストップスイッチ
１６  下降ストップスイッチ
１７  電磁弁
１８  三方弁
１９  スイッチボタン（上昇用）
２０  下降用スイッチ）
２１  エアーホース
２２  移動弁
２３  スプリング
２４  片路開閉弁付きカプラ
【図１】
2004148073.tif 000003
【図２】
2004148073.tif 000004
【図３】
2004148073.tif 000005
【図４】
2004148073.tif 000006
【図５】
2004148073.tif 000007
【図６】
2004148073.tif 000008
【図７】
2004148073.tif 000009